(57)【要約】【課題】光源ユニットとベースユニットとの位置ずれを抑制することができる照明器具を提供する。【解決手段】照明器具１００は、ベースユニット１１０と、光源ユニット１２０と、光源ユニット閉塞部材１３０と、ベースユニット閉塞部材１４０とを備える。光源ユニット閉塞部材１３０は、閉塞部１３２と、突出部１３４とを有する。突出部１３４は、接続面１３４２と、一対の側面１３４４とを有する。接続面１３４２は、閉塞部１３２に接続する。一対の側面１３４４は、接続面１３４２の両端に接続する。ベースユニット閉塞部材１４０は、ガイド部１４６を有する。ガイド部１４６は、一対のガイド面１４６２を有する。光源ユニット１２０がベースユニット１１０に取り付けられた状態において、一対の側面１３４４が、一対のガイド面１４６２に近接対向する。【選択図】図７
2020184491.tif 000002
【特許請求の範囲】
【請求項１】
ベースユニットと、
前記ベースユニットに取り付けられる光源ユニットと、
前記光源ユニットの端部に取り付けられ、前記光源ユニットの開放端を閉塞する光源ユニット閉塞部材と、
前記ベースユニットの端部に取り付けられ、前記ベースユニットの開放端を閉塞するベースユニット閉塞部材と
を備え、
前記光源ユニット閉塞部材は、
前記光源ユニットの開放端を閉塞する閉塞部と、
前記閉塞部よりも前記ベースユニット側に突出する突出部と
を有し、
前記突出部は、
前記閉塞部に接続する接続面と、
前記接続面の両端に接続する一対の側面と
を有し、
前記ベースユニット閉塞部材は、一対のガイド面を有するガイド部を有し、
前記光源ユニットが前記ベースユニットに取り付けられた状態において、前記一対の側面が、前記一対のガイド面に近接対向する、照明器具。
【請求項２】
前記一対の側面の間隔は、前記一対のガイド面の間隔よりも短い、請求項１に記載の照明器具。
【請求項３】
前記一対の側面は互いに平行に延びており、
前記一対のガイド面は互いに平行に延びている、請求項１または請求項２に記載の照明器具。
【請求項４】
前記閉塞部は、
前記光源ユニットの内側に挿入される挿入部と、
前記光源ユニットの外側に位置する露出部と
を有し、
前記一対の側面は、前記露出部よりも内側に位置する、請求項１から請求項３のいずれか１項に記載の照明器具。
【請求項５】
第１ベースユニットと、
前記第１ベースユニットに取り付けられる第１光源ユニットと、
第２ベースユニットと、
前記第２ベースユニットに取り付けられる第２光源ユニットと、
前記第１光源ユニットの端部に取り付けられ、前記第１光源ユニットの開放端を閉塞する第１光源ユニット閉塞部材と、
前記第２光源ユニットの端部に取り付けられ、前記第２光源ユニットの開放端を閉塞する第２光源ユニット閉塞部材と、
前記第１ベースユニットと前記第２ベースユニットとを連結する連結用部品と
を備え、
前記第１光源ユニット閉塞部材は、
前記第１光源ユニットの開放端を閉塞する第１閉塞部と、
前記第１閉塞部よりも前記第１ベースユニット側に突出する第１突出部と
を有し、
前記第２光源ユニット閉塞部材は、
前記第２光源ユニットの開放端を閉塞する第２閉塞部と、
前記第２閉塞部よりも前記第２ベースユニット側に突出する第２突出部と
を有し、
前記第１突出部は、
前記第１閉塞部に接続する第１接続面と、
前記第１接続面の両端に接続する一対の第１側面と
を有し、
前記第２突出部は、
前記第２閉塞部に接続する第２接続面と、
前記第２接続面の両端に接続する一対の第２側面と
を有し、
前記連結用部品は、一対のガイド面を有するガイド部を有し、
前記第１光源ユニットが前記第１ベースユニットに取り付けられた状態において、前記一対の第１側面が、前記一対のガイド面に近接対向し、
前記第２光源ユニットが前記第２ベースユニットに取り付けられた状態において、前記一対の第２側面が、前記一対のガイド面に近接対向する、照明システム。
【発明の詳細な説明】
【技術分野】
【０００１】
本発明は、照明器具および照明システムに関する。
【背景技術】
【０００２】
特許文献１に記載された照明装置は、長尺状の本体と、長尺状のＬＥＤモジュールとを備える。本体は天井面に取り付けられる。ＬＥＤモジュールは本体に装着される。ＬＥＤモジュールは、長尺状の本体の所定の箇所に取り付けられる。ＬＥＤモジュールは、透光性カバーを有する。
【先行技術文献】
【特許文献】
【０００３】
【特許文献１】特開２０１５−５３２１２号公報
【発明の概要】
【発明が解決しようとする課題】
【０００４】
しかしながら、特許文献１に記載された照明装置では、本体とＬＥＤモジュールとの間で、ＬＥＤモジュールの位置ズレが生じる可能性がある。
【０００５】
本発明は上記課題に鑑みてなされたものであり、その目的は光源ユニットとベースユニットとの位置ずれを抑制することができる照明器具および照明システムを提供することにある。
【課題を解決するための手段】
【０００６】
本願に開示する照明器具は、ベースユニットと、光源ユニットと、光源ユニット閉塞部材と、ベースユニット閉塞部材とを備える。前記光源ユニットは、前記ベースユニットに取り付けられる。前記光源ユニット閉塞部材は、前記光源ユニットの端部に取り付けられる。前記光源ユニット閉塞部材は、前記光源ユニットの開放端を閉塞する。前記ベースユニット閉塞部材は、前記ベースユニットの端部に取り付けられる。前記ベースユニット閉塞部材は、前記ベースユニットの開放端を閉塞する。前記光源ユニット閉塞部材は、閉塞部と、突出部とを有する。前記閉塞部は、前記光源ユニットの開放端を閉塞する。前記突出部は、前記閉塞部よりも前記ベースユニット側に突出する。前記突出部は、接続面と、一対の側面とを有する。前記接続面は、前記閉塞部に接続する。前記一対の側面は、前記接続面の両端に接続する。前記ベースユニット閉塞部材は、ガイド部を有する。前記ガイド部は、一対のガイド面を有する。前記光源ユニットが前記ベースユニットに取り付けられた状態において、前記一対の側面が、前記一対のガイド面に近接対向する。
【０００７】
本願に開示する照明器具において、前記一対の側面の間隔は、前記一対のガイド面の間隔よりも短いことが好ましい。
【０００８】
本願に開示する照明器具において、前記一対の側面は互いに平行に延びていることが好ましい。前記一対のガイド面は互いに平行に延びていることが好ましい。
【０００９】
本願に開示する照明器具において、前記閉塞部は、挿入部と、露出部とを有することが好ましい。前記挿入部は、前記光源ユニットの内側に挿入されることが好ましい。前記露出部は、前記光源ユニットの外側に位置することが好ましい。前記一対の側面は、前記露出部よりも内側に位置することが好ましい。
【００１０】
本願に開示する照明システムは、第１ベースユニットと、第１光源ユニットと、第２ベースユニットと、第２光源ユニットと、第１光源ユニット閉塞部材と、第２光源ユニット閉塞部材と、連結用部品とを備える。前記第１光源ユニットは、前記第１ベースユニットに取り付けられる。前記第２光源ユニットは、前記第２ベースユニットに取り付けられる。前記第１光源ユニット閉塞部材は、前記第１光源ユニットの端部に取り付けられる。前記第１光源ユニット閉塞部材は、前記第１光源ユニットの開放端を閉塞する。前記第２光源ユニット閉塞部材は、前記第２光源ユニットの端部に取り付けられる。前記第２光源ユニット閉塞部材は、前記第２光源ユニットの開放端を閉塞する。前記連結用部品は、前記第１ベースユニットと前記第２ベースユニットとを連結する。前記第１光源ユニット閉塞部材は、第１閉塞部と、第１突出部とを有する。前記第１閉塞部は、前記第１光源ユニットの開放端を閉塞する。前記第１突出部は、前記第１閉塞部よりも前記第１ベースユニット側に突出する。前記第２光源ユニット閉塞部材は、第２閉塞部と、第２突出部とを有する。前記第２閉塞部は、前記第２光源ユニットの開放端を閉塞する。前記第２突出部は、前記第２閉塞部よりも前記第２ベースユニット側に突出する。前記第１突出部は、第１接続面と、一対の第１側面とを有する。前記第１接続面は、前記第１閉塞部に接続する。前記一対の第１側面は、前記第１接続面の両端に接続する。前記第２突出部は、第２接続面と、一対の第２側面とを有する。前記第２接続面は、前記第２閉塞部に接続する。前記一対の第２側面は、前記第２接続面の両端に接続する。前記連結用部品は、ガイド部を有する。前記ガイド部は、一対のガイド面を有する。前記第１光源ユニットが前記第１ベースユニットに取り付けられた状態において、前記一対の第１側面が、前記一対のガイド面に近接対向する。前記第２光源ユニットが前記第２ベースユニットに取り付けられた状態において、前記一対の第２側面が、前記一対のガイド面に近接対向する。
【発明の効果】
【００１１】
本発明に係る照明器具によれば、光源ユニットとベースユニットとの位置ずれを抑制することができる。
【図面の簡単な説明】
【００１２】
【図１】照明器具を示す斜視図である。
【図２】照明器具を示す分解斜視図である。
【図３】（ａ）および（ｂ）は、光源ユニット閉塞部材の斜視図である。
【図４】（ａ）は、光源ユニット閉塞部材の側面図である。（ｂ）は、光源ユニット閉塞部材の正面図である。
【図５】（ａ）および（ｂ）は、ベースユニット閉塞部材の斜視図である。
【図６】（ａ）は、ベースユニット閉塞部材の断面図である。（ｂ）は、ベースユニット閉塞部材の断面図である。
【図７】（ａ）は、光源ユニット閉塞部材と、ベースユニット閉塞部材との斜視図である。（ｂ）は、光源ユニット閉塞部材と、ベースユニット閉塞部材との模式的な断面図である。
【図８】（ａ）は、ベースユニットと、光源ユニットとの側面図である。（ｂ）は、図８（ａ）のＶＩＩＩＢ−ＶＩＩＩＢ線に沿った断面図である。
【図９】照明システムの斜視図である。
【図１０】（ａ）および（ｂ）は、連結用部品の斜視図である。
【図１１】（ａ）は、連結用部品の断面図である。（ｂ）は、連結用部品の断面図である。
【図１２】光源ユニット閉塞部材と、光源ユニット閉塞部材と、連結用部品との斜視図である。
【図１３】ベースユニットと、ベースユニットと、連結用部品との斜視図である。
【図１４】（ａ）は、本発明の変形例に係る光源ユニット閉塞部材と、連結用部品との斜視図である。（ｂ）は、光源ユニット閉塞部材と、ベースユニット閉塞部材との模式的な断面図である。
【発明を実施するための形態】
【００１３】
以下、本発明の実施形態について、図面を参照しながら説明する。なお、図中、同一または相当部分については同一の参照符号を付して説明を繰り返さない。また、図中、理解の容易のため、三次元直交座標系のＸ軸、Ｙ軸、およびＺ軸を適宜記載している。Ｘ軸およびＹ軸は水平方向に平行であり、Ｚ軸は鉛直方向に平行である。Ｚ軸の正方向は鉛直上方向を示し、Ｚ軸の負方向は鉛直下方向を示す。
【００１４】
図１を参照して、本発明の実施形態に係る照明器具１００を説明する。図１は、照明器具１００を示す斜視図である。
【００１５】
図１に示すように、照明器具１００は光を出射する。照明器具１００は、長手方向ＰＤに沿って延びている。本実施形態では、長手方向ＰＤは、Ｙ軸に略平行であり、照明器具１００の長手方向を示す。照明器具１００は、ベースユニット１１０と、光源ユニット１２０と、一対の光源ユニット閉塞部材１３０と、一対のベースユニット閉塞部材１４０とを備える。
【００１６】
ベースユニット１１０は長手方向ＰＤに沿って延びている。ベースユニット１１０は、直接または間接的に取付対象物に取り付けられる。取付対象物は、例えば、建造物のような構造物の取付部である。取付部は、例えば、天井面である。ベースユニット１１０は、筐体１５２を有する。
【００１７】
光源ユニット１２０はベースユニット１１０に取り付けられる。光源ユニット１２０は、長手方向ＰＤに沿って延びている。本実施形態では、光源ユニット１２０が光を出射する。光源ユニット１２０は、カバー部材１５４を有する。
【００１８】
図２を参照して、照明器具１００についてさらに説明する。図２は、照明器具１００を示す分解斜視図である。
【００１９】
図２に示すように、光源ユニット１２０は、カバー部材１５４に加えて、発光部１６０と、電源部１７０と、複数の取付バネ１８０と、保持部１８５と、ベース部材１９０とをさらに有する。
【００２０】
カバー部材１５４は、長手方向ＰＤに沿って延びており、発光部１６０を覆う。カバー部材１５４の内部は空洞である。カバー部材１５４は、発光部１６０およびベース部材１９０を収容する。カバー部材１５４は、例えば、合成樹脂製である。カバー部材１５４は、例えば、発光部１６０が出射した光を拡散する。カバー部材１５４は、例えば、白色半透明であってもよい。カバー部材１５４は、例えば、光拡散材料を含有した樹脂を成形することによって形成してもよいし、透明材料で成形した後に表面に光拡散処理（微小凹凸形成処理、透光白色塗装を含む）を施して形成してもよい。カバー部材１５４は、例えば、断面視略Ｕ字形状を有する。
【００２１】
発光部１６０は、長手方向ＰＤに沿って延びており、光を出射する。発光部１６０は、例えば、ＬＥＤ（Ｌｉｇｈｔ  Ｅｍｉｔｔｉｎｇ  Ｄｉｏｄｅ）モジュールである。具体的には、発光部１６０は、２つの基板１６４と、複数の発光素子１６６とを含む。２つの基板１６４は、長手方向ＰＤに沿って並んでいる。発光部１６０の基板１６４の枚数は一例である。基板１６４は、長手方向ＰＤに沿って延びている。複数の発光素子１６６は基板１６４の実装面Ａ１に実装される。複数の発光素子１６６は、例えば、一直線上に配列される。発光素子１６６の各々は、発光し、例えば、ＬＥＤである。複数の発光素子１６６は、発光面がカバー部材１５４の内面に対向し、カバー部材１５４の内面に向かって光を出射する。その結果、光は、カバー部材１５４を通して、照明器具１００の外部に出射する。なお、単数の発光素子１６６を設けてもよい。
【００２２】
ベース部材１９０は、略長尺状であり、長手方向ＰＤに沿って延びている。ベース部材１９０は、例えば、金属製（例えば、アルミニウム製）である。ベース部材１９０は、例えば、押し出し成形方法を用いて成形され、長手方向ＰＤの一端から他端まで断面形状が一定である。ベース部材１９０には、発光部１６０が取り付けられる。具体的には、ベース部材１９０は、略平坦な第１面部Ｂ１と、第１面部Ｂ１に対向する第２面部Ｂ２とを有する。そして、第１面部Ｂ１と基板１６４の対向面Ａ２とが対向するように、発光部１６０がベース部材１９０に取り付けられる。
【００２３】
複数の保持部１８５は、互いに間隔をあけてベースユニット１１０の筐体１５２に取り付けられる。
【００２４】
複数の取付バネ１８０は、互いに間隔をあけてベース部材１９０に取り付けられる。具体的には、取付バネ１８０は、ベース部材１９０の第２面部Ｂ２に取り付けられる。複数の保持部１８５は、対応する複数の取付バネ１８０と長手方向ＰＤにおいて同じ位置に位置する。複数の取付バネ１８０によって、光源ユニット１２０がベースユニット１１０に取り付けられる。例えば、取付バネ１８０の各々は、弾性を有し、金属製（例えば、ステンレス製）である。そして、複数の取付バネ１８０を対応する複数の保持部１８５に嵌め込むと、複数の取付バネ１８０の弾性によって、光源ユニット１２０がベースユニット１１０に取り付けられる。なお、取付バネ１８０のＸ軸方向の寸法は、光源ユニット１２０をベースユニット１１０に取り付ける際に、ベースユニット１１０の開口を取付バネ１８０が通過可能な寸法であればよい。なお、取付バネ１８０に弾性がなく、保持部１８５側に弾性を持たせてもよい。あるいは、取付バネ１８０と保持部１８５の両方に弾性を持たせてもよい。
【００２５】
電源部１７０は、端子台１７１と、電源１７２とを有する。端子台１７１と、電源１７２とは、ベース部材１９０に取り付けられる。具体的には、端子台１７１と、電源１７２とは、ベース部材１９０の第２面部Ｂ２に取り付けられる。内部電力線１４（図８）を介して端子台１７１と接続している。外部電力線（図示せず）を伝送する交流電圧は、端子台１７１を介して内部電力線１４（図８）に通電される。内部電力線１４（図８）は、交流電圧を電源１７２に伝送する。電源１７２は、交流電圧から、発光素子１６６を発光させる電力を生成する。本実施形態の電源１７２は、交流電圧から、発光素子１６６を発光させる直流電圧を生成する。
【００２６】
光源ユニット閉塞部材１３０は、例えば、エンドキャップである。一対の光源ユニット閉塞部材１３０は、それぞれ、光源ユニット１２０の長手方向ＰＤの一対の端部に取り付けられる。詳しくは、一対の光源ユニット閉塞部材１３０は、それぞれ、カバー部材１５４の長手方向ＰＤの一対の端部に取り付けられる。例えば、光源ユニット閉塞部材１３０は、固定部材によって、光源ユニット１２０の長手方向ＰＤの端部に取り付けられる。固定部材は、例えば、ビスである。そして、一対の光源ユニット閉塞部材１３０は、それぞれ、光源ユニット１２０の長手方向ＰＤの一対の開放端４を閉塞する。詳しくは、一対の光源ユニット閉塞部材１３０は、それぞれ、カバー部材１５４の長手方向ＰＤの一対の開放端４を閉塞する。カバー部材１５４の長手方向ＰＤは、Ｙ軸に略平行である。
【００２７】
ベースユニット１１０は、筐体１５２を有する。筐体１５２は、長手方向ＰＤに沿って延びており、断面視略Ｕ字形状を有する。筐体１５２は、例えば、金属製である。ベースユニット１１０は、例えば、押し出し成形方法を用いて成形され、長手方向ＰＤの一端から他端まで断面形状が一定である。一対のベースユニット閉塞部材１４０は、それぞれ、筐体１５２の長手方向ＰＤの一対の端部に嵌められる。そして、一対のベースユニット閉塞部材１４０は、それぞれ、筐体１５２の長手方向ＰＤの一対の開放端５を閉塞する。ベースユニット閉塞部材１４０の各々は、例えば、平面視略矩形形状を有する。筐体１５２の長手方向ＰＤは、Ｙ軸に略平行である。
【００２８】
ベースユニット閉塞部材１４０は、例えば、エンドキャップである。一対のベースユニット閉塞部材１４０は、それぞれ、筐体１５２の長手方向ＰＤの一対の端部に取り付けられる。例えば、ベースユニット閉塞部材１４０は、ベース部材１９０の長手方向ＰＤの端部に取り付けられる。そして、一対のベースユニット閉塞部材１４０は、それぞれ、筐体１５２の長手方向ＰＤの一対の開放端５を閉塞する。筐体１５２の長手方向ＰＤは、Ｙ軸に略平行である。
【００２９】
図１〜図４（ｂ）を参照して、光源ユニット閉塞部材１３０についてさらに説明する。図３（ａ）および図３（ｂ）は、光源ユニット閉塞部材１３０の斜視図である。図４（ａ）は、光源ユニット閉塞部材１３０の側面図である。図４（ｂ）は、光源ユニット閉塞部材１３０の正面図である。
【００３０】
図３（ａ）および図３（ｂ）に示すように、光源ユニット閉塞部材１３０は、閉塞部１３２と、突出部１３４とを有する。
【００３１】
閉塞部１３２は、光源ユニット１２０の開放端４を閉塞する。閉塞部１３２は、矩形状である。閉塞部１３２は、例えば、合成樹脂製である。閉塞部１３２は、発光部１６０が出射した光を拡散可能である。なお、閉塞部１３２の光の拡散率は、カバー部材１５４の光の拡散率とほぼ同じであることが好ましい。閉塞部１３２の光の拡散率を、カバー部材１５４の光の拡散率とほぼ同じにすることによって、閉塞部１３２とカバー部材１５４との一体感を得ることができる。なお、閉塞部１３２の光の拡散率は、カバー部材１５４の光の拡散率と異なっていてもよい。
【００３２】
閉塞部１３２は、例えば、白色半透明である。閉塞部１３２の色は、カバー部材１５４の色と同じであることが好ましい。閉塞部１３２の色をカバー部材１５４の色と同じにすることによって、閉塞部１３２とカバー部材１５４との一体感を得ることができる。なお、閉塞部１３２の色は、カバー部材１５４の色と異なっていてもよい。
【００３３】
閉塞部１３２は、例えば、光拡散材料を含有した樹脂を成形することによって形成してもよい。閉塞部１３２は、透明材料で成形した後に表面または裏面に光拡散処理（透光白色塗装を含む）を施して形成してもよい。
【００３４】
閉塞部１３２の正面視における外形の寸法は、カバー部材１５４の開放端４の外形寸法と略同一であることが好ましい。したがって、閉塞部１３２とカバー部材１５４との間に段差が生じることを抑制することができる。その結果、閉塞部１３２とカバー部材１５４との一体感を得ることができる。
【００３５】
突出部１３４は、閉塞部１３２よりもベースユニット１１０側に突出する。突出部１３４は、接続面１３４２と、一対の側面１３４４とを有する。
【００３６】
接続面１３４２は、閉塞部１３２に接続する。一対の側面１３４４の各々は、接続面１３４２の両端に接続する。詳しくは、一対の側面１３４４の各々は、接続面１３４２のＸ軸方向における端部と接続する。一対の側面１３４４は、互いに平行に延びている。詳しくは、一対の側面１３４４の各々は、ＹＺ平面に略平行に延びている。
【００３７】
図３（ａ）〜図４（ｂ）に示すように、閉塞部１３２は、挿入部１３２２と、露出部１３２４とを有する。
【００３８】
挿入部１３２２の外形の大きさは、カバー部材１５４の内面によって規定される領域の大きさは略等しい。したがって、挿入部１３２２は、光源ユニット１２０の内側に挿入される。挿入部１３２２がカバー部材１５４の内側に挿入されることによって、閉塞部１３２がカバー部材１５４に対して位置決めされる。露出部１３２４は、光源ユニット１２０の外側に位置する。一対の側面１３４４の各々は、露出部１３２４よりも内側に位置する。
【００３９】
図４（ｂ）に示すように、Ｙ軸方向からみたときの閉塞部１３２の形状は、例えば、矩形状である。本実施形態では、Ｙ軸方向からみたときの閉塞部１３２の形状は、正方形状である。すなわち、閉塞部１３２のＸ軸方向に沿った長さと、閉塞部１３２のＺ軸方向に沿った長さとは、略等しい。接続面１３４２のＸ軸方向に沿った長さは、閉塞部１３２のＸ軸方向に沿った長さよりも短い。
【００４０】
次に、図１、図２および図５（ａ）〜図６（ｂ）を参照して、ベースユニット閉塞部材１４０についてさらに説明する。図５（ａ）および図５（ｂ）は、ベースユニット閉塞部材１４０の斜視図である。図６（ａ）は、ベースユニット閉塞部材１４０の断面図である。図６（ｂ）は、ベースユニット閉塞部材１４０の断面図である。
【００４１】
図５（ａ）および図５（ｂ）に示すように、ベースユニット閉塞部材１４０は、閉塞部１４２と、一対の側部１４４と、ガイド部１４６と、底部１４８とを有する。
【００４２】
閉塞部１４２は、ベースユニット１１０の開放端５（図２参照）を閉塞する。閉塞部１４２は、矩形状である。
【００４３】
一対の側部１４４は、閉塞部１４２に接続する。一対の側部１４４の各々は、Ｙ軸方向に沿って延びている。一対の側部１４４は、閉塞部１４２のＸ軸方向の端部から−Ｙ側方向に延びている。
【００４４】
ガイド部１４６は、一対の側部１４４に設けられる。ガイド部１４６は、側部１４４から突出する。ガイド部１４６は、一対のガイド面１４６２を有する。一対のガイド面１４６２は互いに平行に延びている。詳しくは、ガイド面１４６２は、ＹＺ平面に略平行に延びている。
【００４５】
底部１４８は、閉塞部１４２に接続する。底部１４８は、Ｙ軸方向に沿って延びている。
【００４６】
図６（ａ）および図６（ｂ）に示すように、ガイド面１４６２のＺ軸方向に沿った長さは、側部１４４のＺ軸方向に沿った長さよりも短い。
【００４７】
次に、図１、図２および図７（ａ）および図７（ｂ）を参照して、光源ユニット閉塞部材１３０と、ベースユニット閉塞部材１４０との接続について説明する。図７（ａ）は、光源ユニット閉塞部材１３０と、ベースユニット閉塞部材１４０との斜視図である。図７（ｂ）は、光源ユニット閉塞部材１３０と、ベースユニット閉塞部材１４０との模式的な断面図である。図７（ｂ）において、間隔ｄ１は、一対の側面１３４４の間隔を示す。間隔ｄ２は、一対のガイド面１４６２の間隔を示す。
【００４８】
ベースユニット１１０に光源ユニット１２０を取り付ける場合、図７（ａ）に示すように、光源ユニット閉塞部材１３０と、ベースユニット閉塞部材１４０とがＺ軸方向に接近する。
【００４９】
図７（ｂ）に示すように、一対の側面１３４４の間隔ｄ１は、一対のガイド面１４６２の間隔ｄ２よりも短い。したがって、光源ユニット１２０がベースユニット１１０に取り付けられた状態において、一対の側面１３４４は、一対のガイド面１４６２の間に挿入される。本実施形態では、間隔ｄ１は、間隔ｄ２よりも僅かに短い。したがって、光源ユニット１２０がベースユニット１１０に取り付けられた状態において、一対の側面１３４４は、一対のガイド面１４６２に近接対向する。なお、光源ユニット１２０がベースユニット１１０に取り付けられた状態において、一対の側面１３４４は一対のガイド面１４６２に接触してもよい。あるいは、光源ユニット１２０がベースユニット１１０に取り付けられた状態において、一対の側面１３４４は一対のガイド面１４６２に接触していなくてもよい。
【００５０】
光源ユニット閉塞部材１３０は、光源ユニット１２０の長手方向ＰＤの端部に取り付けられている。また、光源ユニット１２０がベースユニット１１０に取り付けられた状態において、一対の側面１３４４が、一対のガイド面１４６２に近接対向する。このため、ベースユニット１１０に光源ユニット１２０を取り付ける場合に、一対のガイド面１４６２によって一対の側面１３４４が案内される。したがって、Ｘ軸方向における、ベースユニット１１０に対する光源ユニット閉塞部材１３０の位置が固定される。その結果、ベースユニット１１０と光源ユニット１２０との間の位置ずれを抑制することができる。
【００５１】
図１、図２および図８（ａ）および図８（ｂ）を参照して、ベースユニット１１０への光源ユニット１２０の取り付けについて説明する。図８（ａ）は、ベースユニット１１０と、光源ユニット１２０との側面図である。図８（ｂ）は、図８（ａ）のＶＩＩＩＢ−ＶＩＩＩＢ線に沿った断面図である。詳しくは、取付バネ１８０と保持部１８５とが位置する箇所の断面図である。
【００５２】
図８（ｂ）に示すように、取付バネ１８０は、一対の弾性部１８０ａを有する。弾性部１８０ａの各々は、湾曲しており、弾性を有する。そして、一対の弾性部１８０ａは、保持部１８５の内部に嵌まる。したがって、一対の弾性部１８０ａは、保持部１８５によって保持される。そして、一対の弾性部１８０ａは弾性を有するため、弾性部１８０ａから保持部１８５に向かって付勢力が作用する。その結果、光源ユニット１２０が、ベースユニット１１０に取り付けられる。
【００５３】
ベース部材１９０は、溝２３を有する。本実施形態のベース部材１９０は、２本の溝２３を有する。溝２３は、ベース部材１９０の上面に、ベース部材１９０の長手方向ＰＤにおける一端から他端にわたって形成される。溝２３に、内部電力線１４が収納される。
【００５４】
端子台１７１（図２）は、溝２３の一部に重なるようにベース部材１９０の上面に配置される。その結果、溝２３に収納された内部電力線１４が溝２３から離脱し難くなる。また、内部電力線１４が溝２３から離脱し難くなることから、光源ユニット１２０をベースユニット１１０に取り付ける際に、撓んだ内部電力線１４が光源ユニット１２０とベースユニット１１０との間に挟まれ難くなる。同様に、内部電力線１４が溝２３から離脱し難くなることから、光源ユニット２２０をベースユニット２１０に取り付ける際に、撓んだ内部電力線１４が光源ユニット２２０とベースユニット２１０との間に挟まれ難くなる。
【００５５】
次に、図９を参照して、本発明の実施形態に係る照明システム５００を説明する。図９は、照明システム５００の斜視図である。
【００５６】
図９に示すように、照明システム５００は、照明器具１００と、照明器具２００と、光源ユニット閉塞部材１３０と、光源ユニット閉塞部材２３０と、ベースユニット閉塞部材１４０と、ベースユニット閉塞部材２４０と、連結用部品３００とを備える。照明器具１００は、ベースユニット１１０と、光源ユニット１２０とを有する。照明器具２００は、ベースユニット２１０と、光源ユニット２２０とを有する。なお、ベースユニット１１０は、「第１ベースユニット」の一例に相当する。また、ベースユニット２１０は、「第２ベースユニット」の一例に相当する。また、光源ユニット１２０は、「第１光源ユニット」の一例に相当する。また、光源ユニット２２０は、「第２光源ユニット」の一例に相当する。また、光源ユニット閉塞部材１３０は、「第１光源ユニット閉塞部材」の一例に相当する。また、光源ユニット閉塞部材２３０は、「第２光源ユニット閉塞部材」の一例に相当する。
【００５７】
光源ユニット１２０は、ベースユニット１１０に取り付けられる。光源ユニット２２０は、ベースユニット２１０に取り付けられる。ベースユニット１１０の構成と、ベースユニット２１０の構成とは、図１および図２を参照して説明した、ベースユニット１１０と同様の構成を有するため説明を省略する。また、光源ユニット１２０と光源ユニット２２０とは、図１および図２を参照して説明した光源ユニット１２０と同様の構成を有するため説明を省略する。
【００５８】
光源ユニット閉塞部材１３０は、図３（ａ）〜図４（ｂ）を参照して説明した光源ユニット閉塞部材１３０と同様の構成を有するため重複部分については説明を省略する。また、光源ユニット閉塞部材２３０は、図３（ａ）〜図４（ｂ）を参照して説明した光源ユニット閉塞部材１３０と同様の構成を有するため重複部分については説明を省略する。
【００５９】
光源ユニット閉塞部材１３０は、例えば、エンドキャップである。光源ユニット閉塞部材１３０は、光源ユニット１２０の長手方向ＰＤの一対の端部に取り付けられる。
【００６０】
図３（ａ）〜図４（ｂ）を参照して説明した光源ユニット閉塞部材１３０と同様に、光源ユニット閉塞部材１３０は、閉塞部１３２と、突出部１３４とを有する。閉塞部１３２は、光源ユニット１２０の開放端４を閉塞する。突出部１３４は、閉塞部１３２よりもベースユニット１１０側に突出する。なお、閉塞部１３２は、「第１閉塞部」の一例に相当する。また、突出部１３４は、「第１突出部」の一例に相当する。
【００６１】
突出部１３４は、接続面１３４２と、側面１３４４とを有する。接続面１３４２は、閉塞部１３２に接続する。一対の側面１３４４は、接続面１３４２の両端に接続する。なお、接続面１３４２は、「第１接続面」の一例に相当する。また、側面１３４４は、「第１側面」の一例に相当する。
【００６２】
光源ユニット閉塞部材２３０は、例えば、エンドキャップである。光源ユニット閉塞部材２３０は、光源ユニット２２０の長手方向ＰＤの一対の端部に取り付けられる。
【００６３】
図３（ａ）〜図４（ｂ）を参照して説明した光源ユニット閉塞部材１３０と同様に、光源ユニット閉塞部材２３０は、閉塞部２３２と、突出部２３４とを有する。閉塞部２３２は、光源ユニット２２０の開放端４を閉塞する。突出部２３４は、閉塞部２３２よりもベースユニット２１０側に突出する。なお、閉塞部２３２は、「第２閉塞部」の一例に相当する。また、突出部２３４は、「第２突出部」の一例に相当する。
【００６４】
突出部２３４は、接続面２３４２と、側面２３４４とを有する。接続面２３４２は、閉塞部２３２に接続する。一対の側面２３４４は、接続面２３４２の両端に接続する。なお、接続面２３４２は、「第２接続面」の一例に相当する。また、側面２３４４は、「第２側面」の一例に相当する。
【００６５】
連結用部品３００は、ベースユニット１１０とベースユニット２１０とを連結する。
【００６６】
次に、図１０（ａ）〜図１１（ｂ）を参照して、連結用部品３００についてさらに説明する。図１０（ａ）および図１０（ｂ）は、連結用部品３００の斜視図である。図１１（ａ）は、連結用部品３００の断面図である。図１１（ｂ）は、連結用部品３００の断面図である。
【００６７】
図１０（ａ）および図１０（ｂ）に示すように、連結用部品３００は、突起部３１０と、本体部３２０とを有する。突起部３１０は、本体部３２０から外側に突起する。詳しくは、突起部３１０は、本体部３２０からＸ軸方向に沿って突起している。突起部３１０は、ベースユニット１１０およびベースユニット２１０の連結時に、ベースユニット１１０およびベースユニット２１０に対する連結用部品３００の長手方向ＰＤの位置決めを行う。また、突起部３１０の外形寸法（Ｘ軸方向の突出量）は、ベースユニット１１０およびベースユニット２１０の内面の寸法よりも大きい。
【００６８】
本体部３２０は、一対の第１側部３２２ａと、一対の第２側部３２２ｂと、ガイド部３４６と、底部３４８とを有する。
【００６９】
一対の第１側部３２２ａは、突起部３１０に接続する。一対の第１側部３２２ａの各々は、Ｙ軸方向に沿って延びている。詳しくは、一対の第１側部３２２ａの各々は、突起部３１０から−Ｙ側方向に延びている。
【００７０】
一対の第２側部３２２ｂは、突起部３１０に接続する。一対の第２側部３２２ｂの各々は、Ｙ軸方向に沿って延びている。詳しくは、一対の第２側部３２２ｂ各々は、突起部３１０から＋Ｙ側方向に延びている。
【００７１】
ガイド部３４６は、一対の第１側部３２２ａおよび一対の第２側部３２２ｂに設けられる。ガイド部３４６は、一対の第１側部３２２ａおよび一対の第２側部３２２ｂから突出する。ガイド部３４６は、一対のガイド面３４６２ａおよび一対のガイド面３４６２ｂを有する。一対のガイド面３４６２ａは互いに平行に延びている。詳しくは、ガイド面３４６２ａは、ＹＺ平面に略平行に延びている。同様に、一対のガイド面３４６２ｂは互いに平行に延びている。詳しくは、ガイド面３４６２ｂは、ＹＺ平面に略平行に延びている。本明細書において、ガイド面３４６２ａおよびガイド面３４６２ｂを、「ガイド面３４６２」と総称する場合がある。
【００７２】
底部３４８は、突起部３１０に接続する。底部３４８は、Ｙ軸方向に沿って延びている。底部３４８は、第１底部３４８ａと、第２底部３４８ｂとを有する。第１底部３４８ａは、底部３４８のうち、−Ｙ方向側の部分である。第２底部３４８ｂは、底部３４８のうち、＋Ｙ方向側の部分である。
【００７３】
図１１（ａ）および図１１（ｂ）に示すように、ガイド面３４６２のＺ軸方向に沿った長さは、第１側部３２２ａおよび第２側部３２２ｂのＺ軸方向に沿った長さよりも短い。
【００７４】
次に、図１、図２および図１０（ａ）〜図１２を参照して、光源ユニット閉塞部材１３０および光源ユニット閉塞部材２３０と、ベースユニット閉塞部材１４０との接続について説明する。図１２は、光源ユニット閉塞部材１３０と、光源ユニット閉塞部材２３０と、連結用部品３００との斜視図である。
【００７５】
図１２に示すように、ベースユニット１１０に光源ユニット１２０を取り付ける場合、光源ユニット閉塞部材１３０と、連結用部品３００とがＺ軸方向に接近する。また、ベースユニット２１０に光源ユニット２２０を取り付ける場合、光源ユニット閉塞部材２３０と、連結用部品３００とがＺ軸方向に接近する。
【００７６】
光源ユニット閉塞部材１３０は、光源ユニット１２０の長手方向ＰＤの端部に取り付けられている。また、光源ユニット１２０がベースユニット１１０に取り付けられた状態において、一対の側面１３４４が、一対のガイド面３４６２ａに近接対向する。また、光源ユニット２２０がベースユニット２１０に取り付けられた状態において、一対の側面２３４４が、一対のガイド面３４６２ｂに近接対向する。このため、ベースユニット１１０に光源ユニット１２０を取り付ける場合に、一対のガイド面３４６２ａによって一対の側面１３４４が案内される。したがって、Ｘ軸方向における、ベースユニット１１０に対する光源ユニット閉塞部材１３０の位置が固定される。その結果、ベースユニット１１０と光源ユニット１２０との間の位置ずれを抑制することができる。なお、ベースユニット１１０に対する光源ユニット１２０の位置は、例えば、ベースユニット１１０の側面と光源ユニット１２０の側面とが面一になる位置である。ベースユニット１１０の側面と光源ユニット１２０の側面とを面一にすることによって、ベースユニット１１０と光源ユニット１２０との一体感を得ることができる。
【００７７】
また、光源ユニット閉塞部材２３０は、光源ユニット２２０の長手方向ＰＤの端部に取り付けられている。また、光源ユニット２２０がベースユニット２１０に取り付けられた状態において、一対の側面２３４４が、一対のガイド面３４６２ｂに近接対向する。このため、ベースユニット２１０に光源ユニット２２０を取り付ける場合に、一対のガイド面３４６２ｂによって一対の側面２３４４が案内される。したがって、ベースユニット２１０に対する光源ユニット閉塞部材２３０の位置が固定される。その結果、ベースユニット２１０と光源ユニット２２０との間の位置ずれを抑制することができる。なお、ベースユニット２１０に対する光源ユニット２２０の位置は、ベースユニット２１０の側面と光源ユニット２２０の側面とが面一になる位置である。ベースユニット２１０の側面と光源ユニット２２０の側面とを面一にすることによって、ベースユニット２１０と光源ユニット２２０との一体感を得ることができる。
【００７８】
次に、図１３を参照して、ベースユニット１１０とベースユニット２１０との連結について説明する。図１３は、ベースユニット１１０と、ベースユニット２１０と、連結用部品３００との斜視図である。
【００７９】
図１３に示すように、ベースユニット１１０の筐体１５２には、一対の溝１１２が形成されている。同様に、ベースユニット２１０の筐体２５２には、一対の溝２１２が形成されている。
【００８０】
連結用部品３００によって、ベースユニット１１０とベースユニット２１０とを連結する場合、第１底部３４８ａを一対の溝１１２に挿入する。さらに、第２底部３４８ｂを一対の溝２１２に挿入する。その結果、連結用部品３００によって、ベースユニット１１０とベースユニット２１０とが連結される。ベースユニット２１０に対する光源ユニット閉塞部材２３０の位置が固定され、ベースユニット２１０と光源ユニット２２０との間の位置ずれが抑制されているので、連結時、連結用部品３００によってベースユニット１１０とベースユニット２１０の位置ずれが抑制され、光源ユニット１２０と光源ユニット２２０との位置ずれを抑制できる。したがって、光源ユニット１２０と光源ユニット２２０との一体感を得ることができる。
【００８１】
次に、図１４（ａ）および図１４（ｂ）を参照して、光源ユニット閉塞部材１３０と、連結用部品３００との変形例を説明する。図１４（ａ）は、本発明の変形例に係る光源ユニット閉塞部材１３０と、連結用部品３００との斜視図である。図１４（ｂ）は、光源ユニット閉塞部材１３０と、ベースユニット閉塞部材１４０との模式的な断面図である。
【００８２】
図１４（ａ）に示すように、光源ユニット閉塞部材１３０において、突出部１３４は、接続面１３４２と、一対の側面１３４４とに加えて、棒状部１３４６を有する。棒状部１３４６は、棒状である。棒状部１３４６は、Ｚ軸方向に沿って延びる。
【００８３】
連結用部品３００において、ガイド部３４６は、一対のガイド面３４６２ａに加えて、一対のガイド面３４６３ａを有する。一対のガイド面３４６３ａは、Ｚ軸方向に沿って延びている。光源ユニット１２０がベースユニット１１０に取り付けられた状態において、棒状部１３４６が一対のガイド面３４６３ａに近接対向する。このため、ベースユニット１１０に光源ユニット１２０が取り付ける場合に、一対のガイド面１４６２によって一対の側面１３４４が案内される。したがって、Ｘ軸方向における、ベースユニット１１０に対する光源ユニット閉塞部材１３０の位置が固定される。その結果、ベースユニット１１０と光源ユニット１２０との間の位置ずれを抑制することができる。
【００８４】
一対のガイド面３４６２ａは、一対のガイド面３４６２ａに接続する。一対のガイド面３４６２ａは、一対のガイド面３４６３ａに対して傾斜する。一対のガイド面３４６２ａのＺ軸に対する傾斜角は、一対の側面１３４４のＺ軸に対する傾斜角と略等しい。したがって、光源ユニット１２０がベースユニット１１０に取り付けられた状態において、一対の側面１３４４が一対のガイド面３４６２ａに近接対向する。このため、ベースユニット１１０に光源ユニット１２０を取り付ける場合に、一対のガイド面１４６２によって一対の側面１３４４が案内される。したがって、Ｘ軸方向における、ベースユニット１１０に対する光源ユニット閉塞部材１３０の位置が固定される。その結果、ベースユニット１１０と光源ユニット１２０との間の位置ずれを抑制することができる。
【００８５】
以上、図面（図１〜図１４）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【００８６】
４          開放端
５          開放端
１００      照明器具
１１０      ベースユニット（第１ベースユニット）
１２０      光源ユニット（第１光源ユニット）
１３０      光源ユニット閉塞部材（第１光源ユニット閉塞部材）
１３２      閉塞部（第１閉塞部）
１３４      突出部（第１突出部）
１４０      ベースユニット閉塞部材
１４６      ガイド部
２１０      ベースユニット（第２ベースユニット）
２２０      光源ユニット（第２光源ユニット）
２３０      光源ユニット閉塞部材（第２光源ユニット閉塞部材）
２３２      閉塞部（第２閉塞部）
２３４      突出部（第２突出部）
３００      連結用部品
３４６      ガイド部
５００      照明システム
１３４２    接続面（第１接続面）
１３４４    側面（第１側面）
１４６２    ガイド面
２３４２    接続面（第２接続面）
２３４４    側面（第２側面）
３４６２、３４６２ａ、３４６２ｂ、３４６３ａ    ガイド面
ＰＤ        長手方向
【図１】
2020184491.tif 000003
【図２】
2020184491.tif 000004
【図３】
2020184491.tif 000005
【図４】
2020184491.tif 000006
【図５】
2020184491.tif 000007
【図６】
2020184491.tif 000008
【図７】
2020184491.tif 000009
【図８】
2020184491.tif 000010
【図９】
2020184491.tif 000011
【図１０】
2020184491.tif 000012
【図１１】
2020184491.tif 000013
【図１２】
2020184491.tif 000014
【図１３】
2020184491.tif 000015
【図１４】
2020184491.tif 000016